(57)【要約】【課題】  楽曲中の歌詞の始まりから終わりまでの間の所定のタイミングで楽曲の関連情報の紹介を行い、楽曲を聴いている間に複数の情報をユーザーに聴取させることができ、楽曲を聴く楽しみを一層高めることができるオーディオ装置を提供すること。【解決手段】  楽曲の音声信号を出力するとともに、楽曲の関連情報を紹介可能なオーディオ装置において、楽曲の関連情報を取得する楽曲関連情報取得手段と、楽曲中の歌詞の始まりから終わりまでの間で楽曲の関連情報の紹介を行うタイミングを判断する紹介タイミング判断手段と、紹介タイミング判断手段により判断された所定のタイミングで、取得した楽曲の関連情報の紹介を行う楽曲関連情報紹介手段とを装備する。【選択図】  図１
2006048808.tif 000002
【特許請求の範囲】
【請求項１】
楽曲の音声信号を出力するとともに、前記楽曲の関連情報を紹介可能なオーディオ装置
において、
前記楽曲の関連情報を取得する楽曲関連情報取得手段と、
前記楽曲中の歌詞の始まりから終わりまでの間で前記楽曲の関連情報の紹介を行うタイ
ミングを判断する紹介タイミング判断手段と、
該紹介タイミング判断手段により判断された所定のタイミングで、前記取得した楽曲の
関連情報の紹介を行う楽曲関連情報紹介手段とを備えていることを特徴とするオーディオ
装置。
【請求項２】
楽曲中の歌詞のサビの位置を示すサビ位置情報を取得するサビ位置情報取得手段と、
楽曲の音声信号の振幅レベルを検知する信号レベル検知手段とを備え、
前記紹介タイミング判断手段が、前記サビ位置情報取得手段を介して取得された前記楽
曲のサビ位置情報と、前記信号レベル検知手段を介して検知された前記楽曲の音声信号の
振幅レベルとに基づいて、前記楽曲の関連情報の紹介を行うタイミングを判断するもので
あることを特徴とする請求項１記載のオーディオ装置。
【請求項３】
楽曲中の間奏区間を示す間奏区間情報を取得する間奏区間情報取得手段を備え、
前記紹介タイミング判断手段が、前記間奏区間情報取得手段を介して取得された間奏区
間情報に基づいて、前記楽曲の関連情報の紹介を行うタイミングを判断するものであるこ
とを特徴とする請求項１記載のオーディオ装置。
【請求項４】
前記間奏区間情報が、楽曲中の歌詞のサビの終了時刻を含む情報であることを特徴とす
る請求項３記載のオーディオ装置。
【請求項５】
楽曲の音声信号の振幅レベルを検知する信号レベル検知手段を備え、
前記紹介タイミング判断手段が、前記信号レベル検知手段を介して検知された前記楽曲
の音声信号の振幅レベルに基づいて、前記楽曲の関連情報の紹介を行うタイミングを判断
するものであることを特徴とする請求項１記載のオーディオ装置。
【請求項６】
前記楽曲関連情報紹介手段が、前記楽曲の関連情報の紹介を行っている途中で、間奏区
間が終了した場合、又は前記楽曲の音声信号の振幅レベルが所定レベルより大きくなった
場合に、前記楽曲の関連情報の紹介を中断し、次の紹介タイミングで、前記紹介を再開す
るものであることを特徴とする請求項３〜５のいずれかの項に記載のオーディオ装置。
【請求項７】
前記信号レベル検知手段が、前記楽曲の音声信号の振幅レベルとして、前記楽曲中の歌
声が含まれる周波数帯域の音声信号の振幅レベルを検知するものであることを特徴とする
請求項２、５、又は請求項６記載のオーディオ装置。
【請求項８】
前記楽曲の関連情報には、楽曲の情報、アーティストに関する情報、楽曲が収録されて
いるアルバムに関する情報、アーティストのイベント情報、アーティストのホームページ
情報、作詞家に関する情報、作曲家に関する情報、及びアーティストの出演番組情報のう
ちの少なくとも一つが含まれており、
前記楽曲関連情報紹介手段が、前記楽曲の関連情報に含まれる各情報を所定の順番で紹
介するものであることを特徴とする請求項１〜７のいずれかの項に記載のオーディオ装置
。
【請求項９】
前記楽曲の関連情報には、ジャケットの画像情報が更に含まれており、
前記ジャケットの画像情報の紹介を行うジャケット画像紹介手段を備えていることを特
徴とする請求項８記載のオーディオ装置。
【請求項１０】
前記楽曲の関連情報に含まれる各情報の紹介を行う順番を設定するための紹介順位設定
手段を備えていることを特徴とする請求項８記載のオーディオ装置。
【請求項１１】
前記楽曲の関連情報としてアーティストのホームページ情報が紹介された場合に、該ア
ーティストのホームページ情報をお気に入り情報として登録するためのお気に入り情報登
録手段を備えていることを特徴とする請求項８〜１０のいずれかの項に記載のオーディオ
装置。
【請求項１２】
前記楽曲の関連情報の紹介を行うタイミングにおける楽曲の音声信号の周波数特性を判
別する周波数特性判別手段を備え、
前記楽曲関連情報紹介手段が、該周波数特性判別手段により判別された周波数特性に応
じて設定された所定の音声信号で前記楽曲の関連情報の紹介を行うものであることを特徴
とする請求項１〜１１のいずれかの項に記載のオーディオ装置。
【請求項１３】
前記楽曲の関連情報を紹介する際の音の定位を設定するための定位設定手段を備えてい
ることを特徴とする請求項１〜１２のいずれかの項に記載のオーディオ装置。
【請求項１４】
前記楽曲の関連情報を紹介する出力音量を設定するための紹介音量設定手段を備えてい
ることを特徴とする請求項１〜１２のいずれかの項に記載のオーディオ装置。
【請求項１５】
前記楽曲の関連情報を紹介する音声の読み上げ速度を設定するための読み上げ速度設定
手段を備えていることを特徴とする請求項１〜１２のいずれかの項に記載のオーディオ装
置。
【請求項１６】
前記楽曲の関連情報を紹介する音声の音響特性を設定するための音響特性設定手段を備
えていることを特徴とする請求項１〜１２のいずれかの項に記載のオーディオ装置。
【発明の詳細な説明】
【技術分野】
【０００１】
本発明はオーディオ装置に関し、より詳細には楽曲の音声信号を出力するとともに、該
楽曲の関連情報を紹介することのできるオーディオ装置に関する。
【背景技術】
【０００２】
従来のオーディオ装置は、ＣＤやＭＤなどの再生媒体に記録されている楽曲データを再
生するようになっており、好きなアーティストのＣＤなどをセットすれば、ユーザーは、
これらの曲を自由に聴くことができるようになっている。
【０００３】
これらの再生媒体に記録されている楽曲を聴くだけでも、ユーザーは、その場を楽しむ
ことができるが、例えば、ドライブ中などＢＧＭとして音楽を聴いている場合、単に曲を
聴くだけでなく、その楽曲の関連情報等を色々と知ることができれば、ユーザーにとって
非常に有益なものとなる。
【０００４】
例えば、下記の特許文献１、２には、セットされた再生媒体に関連する関連情報をネッ
トワークまたは他の再生媒体から自動的に取得して、再生媒体の再生に合わせて、前記取
得した関連情報を表示する装置が開示されている。
【０００５】
しかしながら、これらの装置では、表示画面を見なければ関連情報を把握することがで
きないので、関連情報を知るためには表示画面の前で曲を聴かなければならず、ユーザー
にとって曲を聴く環境がかなり制約されるという問題があった。
【０００６】
また、これらを車載用に適用しようとした場合、運転者は、走行中に画面を注視するこ
とができず、表示された関連情報の内容を把握することが困難であるため、車載機等への
適用も難しいといった問題があった。
【０００７】
また、下記の特許文献３には、カラオケ再生時の場の雰囲気を盛り上げるためにタイト
ル表示や前奏の時間に、ジャンル等に応じた曲紹介等の音声データを自動的に再生するこ
とができるカラオケ装置が開示されている。
【０００８】
このような曲の前奏の時間に曲紹介等を行う装置では、曲ごとに前奏部分の長さが異な
るため、前奏部分が短いと曲紹介等を行う時間がとれないといった問題があり、また、ユ
ーザーが聴く曲は、前奏部分の音が小さい曲ばかりではないため、前奏がいきなり大きな
音で始まる曲だと、紹介する音声が聴き取りにくくいといった問題があった。
【特許文献１】特開平１０−２３３０８３号公報
【特許文献２】特開平１０−１１６４７２号公報
【特許文献３】特開平９−１５２８７８号公報
【発明の開示】
【課題を解決するための手段及びその効果】
【０００９】
本発明は上記課題に鑑みなされたものであって、楽曲中の歌詞の始まりから終わりまで
の間の所定のタイミングで前記楽曲の関連情報の紹介を行い、楽曲を聴いている間に複数
の情報をユーザーに聴取させることができ、楽曲を聴く楽しみを一層高めることができる
オーディオ装置を提供することを目的としている。
【００１０】
上記目的を達成するために本発明に係るオーディオ装置（１）は、楽曲の音声信号を出
力するとともに、前記楽曲の関連情報を紹介可能なオーディオ装置において、前記楽曲の
関連情報を取得する楽曲関連情報取得手段と、前記楽曲中の歌詞の始まりから終わりまで
の間で前記楽曲の関連情報の紹介を行うタイミングを判断する紹介タイミング判断手段と
、該紹介タイミング判断手段により判断された所定のタイミングで、前記取得した楽曲の
関連情報の紹介を行う楽曲関連情報紹介手段とを備えていることを特徴としている。
【００１１】
上記オーディオ装置（１）によれば、前記楽曲中の歌詞の始まりから終わりまでの間で
前記楽曲の関連情報の紹介を行うのに適切なタイミングを適宜判断して、該判断されたタ
イミングで、前記取得した楽曲の関連情報が紹介されるので、前記楽曲を聴く楽しみを妨
げることなく、楽曲中の複数のタイミングで前記楽曲の関連情報の紹介を行うことできる
。したがって、楽曲を聴きながら、複数の情報を聴取することが可能となり、楽曲を聴く
楽しみを一層高めることができる。
【００１２】
また本発明に係るオーディオ装置（２）は、上記オーディオ装置（１）において、楽曲
中の歌詞のサビの位置を示すサビ位置情報を取得するサビ位置情報取得手段と、楽曲の音
声信号の振幅レベルを検知する信号レベル検知手段とを備え、前記紹介タイミング判断手
段が、前記サビ位置情報取得手段を介して取得された前記楽曲のサビ位置情報と、前記信
号レベル検知手段を介して検知された前記楽曲の音声信号の振幅レベルとに基づいて、前
記楽曲の関連情報の紹介を行うタイミングを判断するものであることを特徴としている。
【００１３】
上記オーディオ装置（２）によれば、前記サビ位置情報取得手段を介して取得された前
記楽曲のサビ位置情報と、前記信号レベル検知手段を介して検知された前記楽曲の音声信
号の振幅レベルとに基づいて、前記楽曲の関連情報の紹介を行うタイミングが判断される
ので、例えば、前記楽曲のサビ位置を除いた部分で、かつオーディオソースから取り込ん
だ前記楽曲の音声信号の振幅レベルが所定レベルより小さくなるタイミングで、前記楽曲
の関連情報の紹介を行うことができ、前記楽曲中のサビの部分を聴く楽しみを妨げること
なく、かつ前記楽曲の関連情報が聞き取りやすいように紹介を行うことができる。
【００１４】
また本発明に係るオーディオ装置（３）は、上記オーディオ装置（１）において、楽曲
中の間奏区間を示す間奏区間情報を取得する間奏区間情報取得手段を備え、前記紹介タイ
ミング判断手段が、前記間奏区間情報取得手段を介して取得された間奏区間情報に基づい
て、前記楽曲の関連情報の紹介を行うタイミングを判断するものであることを特徴として
いる。
【００１５】
上記オーディオ装置（３）によれば、前記紹介タイミング判断手段が、前記間奏区間情
報取得手段を介して取得された間奏区間情報に基づいて、前記楽曲の関連情報の紹介を行
うタイミングを判断するものであるので、歌声が含まれない楽曲の間奏区間において、前
記楽曲の関連情報が聞き取りやすいように紹介を行うことができる。
【００１６】
また本発明に係るオーディオ装置（４）は、上記オーディオ装置（３）において、前記
間奏区間情報が、楽曲中の歌詞のサビの終了時刻を含む情報であることを特徴としている
。
上記オーディオ装置（４）によれば、前記間奏区間情報に楽曲中の歌詞のサビの終了時
刻が含まれているので、前記楽曲中の歌詞のサビの終了時刻から前記楽曲の関連情報の紹
介をスムーズに行うことができる。
【００１７】
また本発明に係るオーディオ装置（５）は、上記オーディオ装置（１）において、楽曲
の音声信号の振幅レベルを検知する信号レベル検知手段を備え、前記紹介タイミング判断
手段が、前記信号レベル検知手段を介して検知された前記楽曲の音声信号の振幅レベルに
基づいて、前記楽曲の関連情報の紹介を行うタイミングを判断するものであることを特徴
としている。
【００１８】
上記オーディオ装置（５）によれば、前記レベル検知手段を介して検知された前記楽曲
の音声信号の振幅レベルに基づいて、前記楽曲の関連情報の紹介を行うタイミングが判断
されるので、例えば、音楽ソースから取り込んだ前記楽曲の音声信号の振幅レベルが所定
レベルより小さくなるタイミングで、前記楽曲を聴く楽しみを妨げることがないように前
記楽曲の関連情報の紹介を行うことができる。
【００１９】
また本発明に係るオーディオ装置（６）は、上記オーディオ装置（３）〜（５）のいず
れかにおいて、前記楽曲関連情報紹介手段が、前記楽曲の関連情報の紹介を行っている途
中で、間奏区間が終了した場合、又は前記楽曲の音声信号の振幅レベルが所定レベルより
大きくなった場合に、前記楽曲の関連情報の紹介を中断し、次の紹介タイミングで、前記
紹介を再開するものであることを特徴としている。
【００２０】
上記オーディオ装置（６）によれば、前記楽曲の関連情報の紹介を行っている途中で、
間奏区間が終了した場合、又は前記楽曲の音声信号の振幅レベルが所定レベルより大きく
なった場合に、前記楽曲の関連情報の紹介を中断し、次の紹介タイミングで、前記紹介を
再開するので、前記楽曲の関連情報の出力に要する時間が長い場合でも、前記楽曲を聴く
楽しみを妨げることがないように紹介を行うことができる。また、前記紹介を再開する際
には、中断箇所の少し手前から再開するようにすれば、関連情報のつながりが把握しやす
くなる。
【００２１】
また本発明に係るオーディオ装置（７）は、上記オーディオ装置（２）、（５）又は（
６）において、前記信号レベル検知手段が、前記楽曲の音声信号の振幅レベルとして、前
記楽曲中の歌声が含まれる周波数帯域の音声信号の振幅レベルを検知するものであること
を特徴としている。
【００２２】
上記オーディオ装置（７）によれば、前記信号レベル検知手段が、前記楽曲の音声信号
の振幅レベルとして、前記楽曲中の歌声が含まれる主な周波数帯域の音声信号の振幅レベ
ルを検知するものであるので、例えば、前記楽曲中の歌声が含まれる周波数帯域の音声信
号の振幅レベルが所定レベルより小さくなるタイミング、すなわち歌声が小さくなるタイ
ミングで、前記楽曲中の歌声を聴く楽しみを妨げることがないように前記楽曲の関連情報
の紹介を行うことができる。
【００２３】
また本発明に係るオーディオ装置（８）は、上記オーディオ装置（１）〜（７）のいず
れかにおいて、前記楽曲の関連情報には、楽曲の情報、アーティストに関する情報、楽曲
が収録されているアルバムに関する情報、アーティストのイベント情報、アーティストの
ホームページ情報、作詞家に関する情報、作曲家に関する情報、及びアーティストの出演
番組情報のうちの少なくとも一つが含まれており、前記楽曲関連情報紹介手段が、前記楽
曲の関連情報に含まれる各情報を所定の順番で紹介するものであることを特徴としている
。
【００２４】
上記オーディオ装置（８）によれば、前記楽曲の関連情報には複数の情報が含まれてお
り、該楽曲の関連情報に含まれる各情報が所定の順番で紹介されるので、これらの情報を
所定の順番でユーザーに聴取させることができ、楽曲を聴く楽しみを一層高めることがで
きる。                                                                          
【００２５】
また本発明に係るオーディオ装置（９）は、上記オーディオ装置（８）において、前記
楽曲の関連情報には、ジャケットの画像情報が更に含まれており、前記ジャケットの画像
情報の紹介を行うジャケット画像紹介手段を備えていることを特徴としている。
上記オーディオ装置（９）によれば、前記ジャケットの画像情報の紹介も行うことがで
きる。
【００２６】
また本発明に係るオーディオ装置（１０）は、上記オーディオ装置（８）において、前
記楽曲の関連情報に含まれる各情報の紹介を行う順番を設定するための紹介順位設定手段
を備えていることを特徴としている。
上記オーディオ装置（１０）によれば、前記楽曲の関連情報に含まれる各情報の紹介を
行う順番をユーザーが予め設定しておくことができ、ユーザーが優先的に知りたい情報か
ら紹介させることができる。
【００２７】
また本発明に係るオーディオ装置（１１）は、上記オーディオ装置（８）〜（１０）の
いずれかにおいて、前記楽曲の関連情報としてアーティストのホームページ情報が紹介さ
れた場合に、該アーティストのホームページ情報をお気に入り情報として登録するための
お気に入り情報登録手段を備えていることを特徴としている。
【００２８】
上記オーディオ装置（１１）によれば、前記アーティストのホームページ情報が紹介さ
れた場合に、該アーティストのホームページのアドレス情報を登録することが可能となり
、アドレス情報を別途登録する手間を省くことができる。
【００２９】
また本発明に係るオーディオ装置（１２）は、上記オーディオ装置（１）〜（１１）の
いずれかにおいて、前記楽曲の関連情報の紹介を行うタイミングにおける楽曲の音声信号
の周波数特性を判別する周波数特性判別手段を備え、前記楽曲関連情報紹介手段が、該周
波数特性判別手段により判別された周波数特性に応じて設定された所定の音声信号で前記
楽曲の関連情報の紹介を行うものであることを特徴としている。
【００３０】
上記オーディオ装置（１２）によれば、前記楽曲の関連情報の紹介を行うタイミングに
おける楽曲の音声信号の周波数特性を判別して、該判別された周波数特性に応じて設定さ
れた所定の音声信号で前記楽曲の関連情報の紹介が行われるので、例えば、前記楽曲の関
連情報の紹介を行うタイミングにおける楽曲の音声信号の周波数特性に基づき、低音側の
周波数帯域の信号レベルが高い場合は、女性の音声（すなわち、高い周波数の音声）で前
記楽曲の関連情報の紹介を行うようにしたり、逆に、高音側の周波数帯域の信号レベルが
高い場合は、男性の音声（すなわち、低い周波数の音声）で前記楽曲の関連情報の紹介を
行うようにすることができ、聞き取りやすい音声で前記楽曲の関連情報の紹介を行うこと
ができる。
【００３１】
また本発明に係るオーディオ装置（１３）は、上記オーディオ装置（１）〜（１２）の
いずれかにおいて、前記楽曲の関連情報を紹介する際の音の定位を設定するための定位設
定手段を備えていることを特徴としている。
上記オーディオ装置（１３）によれば、前記楽曲の関連情報を紹介する際の音の定位を
設定するための定位設定手段を備えているので、ユーザーの好みに合わせて、前記楽曲の
関連情報の紹介を行う際の音の定位を、例えば、２スピーカのシステムであれば、右側、
中心、左側などに設定することができ、ユーザーにとって聴き取りやすい設定を行うこと
ができる。
【００３２】
また本発明に係るオーディオ装置（１４）は、上記オーディオ装置（１）〜（１２）の
いずれかにおいて、前記楽曲の関連情報を紹介する出力音量を設定するための紹介音量設
定手段を備えていることを特徴としている。
上記オーディオ装置（１４）によれば、前記楽曲の関連情報を紹介する音量をユーザー
の好みに合わせて設定することができ、ユーザーにとって聴き取りやすい音量に設定にす
ることができる。また、音声紹介する必要なければ、紹介音声を出力しない音量に設定す
ることもでき、関連情報を必要とするユーザーにのみ提供することができる。          
【００３３】
また本発明に係るオーディオ装置（１５）は、上記オーディオ装置（１）〜（１２）の
いずれかにおいて、前記楽曲の関連情報を紹介する音声の読み上げ速度を設定するための
読み上げ速度設定手段を備えていることを特徴としている。
上記オーディオ装置（１５）によれば、前記楽曲の関連情報を紹介する音声の読み上げ
速度をユーザーの好みに合わせて設定することができ、ユーザーにとって聴き取りやすい
読み上げ速度に設定にすることができる。
【００３４】
また本発明に係るオーディオ装置（１６）は、上記オーディオ装置（１）〜（１２）の
いずれかにおいて、前記楽曲の関連情報を紹介する音声の音響特性を設定するための音響
特性設定手段を備えていることを特徴としている。
上記オーディオ装置（１６）によれば、前記楽曲の関連情報を紹介する音声の音響特性
、例えば、エコーなどの音響特性をユーザーの好みに合わせて設定することができる。
【発明を実施するための最良の形態】
【００３５】
以下、本発明に係るオーディオ装置の実施の形態を図面に基づいて説明する。図１は、
実施の形態（１）に係るオーディオ装置の要部を概略的に示したブロック図である。
【００３６】
図中１１はアンテナを示しており、アンテナ１１にはＦＭ多重放送電波の受信が可能な
ＦＭチューナ部１２が接続され、ＦＭチューナ部１２の出力線は２つに分岐され、一方の
出力線は、アナログ信号をＦＭステレオ信号に復調するＭＰＸ復調部１３を介してモード
の切り換えを行う切換スイッチ１５に接続されており、他方の出力線は、ＦＭ多重放送電
波に含まれる多重データを複号するデコーダ１４を介してマイコン１６に接続されている
。
【００３７】
また切換スイッチ１５には、ＣＤ１８を再生するＣＤドライブ１７が接続されており、
切換スイッチ１５の出力側には、グラフィックイコライザ１９を介してオーディオコント
ロール部２０が接続されている。オーディオコントロール部２０には、アンプ２１ａ（Ｌ
）、２１ｂ（Ｒ）を介してスピーカ２２ａ（Ｌ）、２２ｂ（Ｒ）が接続されている。また
、マイコン１６は、ＦＭチューナ部１２、ＣＤドライブ１７、切換スイッチ１５、グラフ
ィックイコライザ１９、及びオーディオコントロール部２０に接続されており、マイコン
１６では、これら各部の制御が行われるようになっている。
【００３８】
ＣＤドライブ１７は、ＣＤ１８として音楽ＣＤの他にＣＤ−Ｒ／ＲＷが読み込めるよう
になっており、ＣＤ−Ｒ／ＲＷに収録されたＭＰ３ファイルを再生するためのＭＰ３デコ
ーダ（図示せず）が装備されている。
【００３９】
グラフィックイコライザ１９は、ＦＭ放送の音声やＣＤ１８の再生音声など、オーディ
オソースから取り込んだ音声信号の振幅レベルを検知するととともに、これら音声信号の
周波数帯域をいくつかの帯域に分けて、各再生周波数帯域における音声信号の振幅レベル
を検知して、出力する音声信号の周波数特性をユーザー設定等に応じて調整するものであ
る。グラフィックイコライザ１９で解析されたデータはマイコン１６に取り込まれるよう
になっており、マイコン１６では、取り込んだデータに基づいて所定の処理が行われるよ
うになっている。
【００４０】
オーディオコントロール部２０では、スピーカ２２ａ、２２ｂより出力される音の定位
（例えば、右側、中央、左側）、残響音などの音響特性、音量など、出力音声に関する調
整がマイコン１６の制御信号に基づいて行われるようになっており、また、音声合成部２
３において生成された音声合成データと、ＦＭ放送の音声又はＣＤ１８の再生音声とがミ
キシングされるようになっている。
【００４１】
また、マイコン１６には、文字信号（テキストデータとも言う）を処理して音声合成デ
ータを生成する音声合成部２３、記憶部２４、表示ディスプレイ（図示せず）などを備え
た表示部２５、表示部２５に設けられたボタンスイッチや表示ディスプレイ上に配設され
たタッチパネル（いずれも図示せず）などを含んで構成される操作部２６、及び無線通信
部２７が接続されている。
【００４２】
マイコン１６は、ＣＤドライブ１７にＣＤ１８がセットされた場合、又はメニュー画面
を通じてＣＤモードが選択された場合に、無線通信部２７を制御して、通信ネットワーク
３１上のサーバ３２に接続するようになっており、サーバ３２側で検索して抽出された、
再生ＣＤ１８に収録されている楽曲の関連情報と、各楽曲中の歌詞のサビの位置を示すサ
ビ位置情報とを取得することができるようになっている。
【００４３】
図２は、サーバ３２から取得したデータの一部を示した図であり、（ａ）は楽曲のサビ
位置情報、（ｂ）は楽曲の関連情報を示している。
楽曲のサビ位置情報には、各楽曲中の歌詞のサビ部分の開始時刻と終了時刻とを示す情
報が含まれるようになっている。また、楽曲の関連情報には、曲名、アルバム名などを含
む楽曲の情報、アーティストの略歴情報などを含むアーティストに関する情報、アルバム
に関する情報、コンサートやライブ日程などを含むアーティストのイベント情報、アーテ
ィストのホームページ情報、楽曲の作詞家に関する情報、楽曲の作曲家に関する情報、及
びアーティストの出演番組情報などを示すテキストデータが含まれるようになっている。
【００４４】
また、図３に示した紹介順位設定画面を通じて、サーバ３２から取得した楽曲の関連情
報に含まれる各情報の中から音声で紹介する順番（優先順位）が予め設定できるようにな
っており、マイコン１６は、サーバ３２から取得した楽曲の関連情報と、ユーザー設定さ
れた紹介順位情報とに基づいて、前記楽曲の関連情報に含まれる各情報を音声紹介する順
番を決定し、該決定された紹介順位情報が、サビ位置情報や楽曲の関連情報とともに記憶
部２４に記憶されるようになっている。
【００４５】
マイコン１６は、再生している楽曲中の歌詞の始まりから終わりまでの間で前記楽曲の
関連情報の紹介を行うタイミングを判断する機能を備えており、サーバ３２から取得した
サビ位置情報と、グラフィックイコライザ１９で検知された楽曲中の歌声が含まれる主な
周波数帯域（例えば３００〜３０００Ｈｚ）の音声信号の振幅レベル（ｄＢ値）とに基づ
いて、前記楽曲の関連情報の紹介を行うタイミングが判断されるようになっている。
【００４６】
そして、マイコン１６は、前記楽曲の関連情報の紹介を行うタイミングであると判断す
ると、前記紹介順位情報に基づいて次に紹介する楽曲の関連情報を記憶部２４から読み出
し、読み出された楽曲の関連情報（テキストデータ）が音声合成部２３で処理されて音声
合成データが生成され、生成された音声合成データがオーディオコントロール部２０に出
力され、合成音声（紹介音声）の音の定位、ボリューム（音量）、読み上げ速度、音響特
性などが調整された後、再生されるＣＤの音声信号とミキシングされ、アンプ２１ａ、２
１ｂを介してスピーカ２２ａ、２２ｂからＣＤの再生音声と混合された楽曲の関連情報の
紹介音声が出力されるようになっている。
【００４７】
また、オーディオコントロール部２０において調整される、合成音声（紹介音声）の音
の定位、音量、読み上げ速度、音響特性などは、図４に示した紹介音声出力設定画面を通
じて設定することができるようになっている。例えば、図４では、左右のスピーカ２２ａ
、２２ｂから出力される合成音声の音の定位を、右側、中央、又は左側に設定することが
できるようになっている。また、合成音声の音量として、０〜３の４段階に設定すること
ができるようになっており、音量０は、合成音声が出力されない設定となっている。また
、合成音声の読み上げ速度については、遅い、普通、速いの３段階に設定することができ
るようになっており、合成音声の音響特性については、エコー有り、無しを設定すること
ができるようになっている。
【００４８】
また、メニュー画面を通じてＦＭモードが選択された場合、マイコン１６は、ＦＭチュ
ーナ部１２を制御して、受信放送電波中の音声アナログ信号を取り出すようになっており
、取り出された音声アナログ信号はＭＰＸ１３によりＦＭステレオ信号に復調され、復調
されたＦＭステレオ信号は、グラフィックイコライザ１９、オーディオコントロール部２
０、アンプ２１ａ、２１ｂを介してスピーカ２２ａ、２２ｂからＦＭ放送音声として出力
されるようになっている。
【００４９】
なお、ＦＭ放送局からは、歌番組などで楽曲を放送する場合、放送している楽曲の歌詞
の始まりから終わりまでの間で楽曲の関連情報を出力するタイミングを示すタイミング符
号と、放送している楽曲の関連情報（テキストデータ）とが多重データとして楽曲の音声
信号とともに放送されるようになっている。
【００５０】
アンテナ１１で受信されたＦＭ放送電波中の多重データは、デコーダ１４で複号され、
マイコン１６に入力される。マイコン１６は、多重データ中に前記タイミング符号と、放
送している楽曲の関連情報とが含まれているか否かを判断し、タイミング符号と楽曲の関
連情報とを受信したタイミングで、楽曲の関連情報（テキストデータ）が音声合成部２３
で処理されて音声合成データが生成され、生成された音声合成データがオーディオコント
ロール部２０に出力され、合成音声の音の定位、音量、読み上げ速度、音響特性などが調
整された後、ＦＭステレオ信号とミキシングされ、アンプ２１ａ、２１ｂを介してスピー
カ２２ａ、２２ｂからＦＭステレオ音声と混合された楽曲の関連情報の紹介音声が出力さ
れるようになっている。
【００５１】
次に実施の形態（１）に係るオーディオ装置におけるマイコン１６の行う処理動作を図
５〜図７に示したフロ−チャ−トに基づいて説明する。なお、本処理動作は、ＣＤ１８を
再生するＣＤモードが選択された場合に実行される。
【００５２】
まず、ステップＳ１では、ＣＤモードか否かを判断し、ＣＤモードではないと判断すれ
ば処理を終了する一方、ＣＤモードであると判断すればステップＳ２に進む。ステップ２
では、ＣＤ１８のＴＯＣ情報の読み込みを行いステップＳ３に進む。
【００５３】
ステップＳ３では、ＣＤ１８が音楽ＣＤであるか否かを判断し、音楽ＣＤであると判断
すればステップＳ４に進む。ステップＳ４では、無線通信部２７を制御して、ＴＯＣ情報
に含まれているＣＤの識別に必要な情報（例えば、ＣＤ固有の識別コード、総演奏時間、
総曲数などの情報）などをサーバ３２に送信して、ＣＤ１８に含まれる楽曲のサビ位置情
報と楽曲の関連情報とを取得する処理を行い、その後ステップＳ５に進む。
なお、サーバ３２では、オーディオ装置から送信されてくる情報に基づいて、データベ
ースの検索を行い、該当するＣＤに含まれる楽曲のサビ位置情報と楽曲の関連情報とを抽
出して、オーディオ装置へ送出する処理が行われるようになっている。また、サーバ３２
側のデータベースには、図２に示したような楽曲中の歌詞のサビ位置（開始・終了時刻）
を示すサビ位置情報や、楽曲の関連情報、すなわち、曲名、アルバム名、アーティスト名
などの楽曲の情報、アーティストに関する情報、アルバムに関する情報、アーティストの
イベント情報、アーティストのホームページ情報、楽曲の作詞家に関する情報、楽曲の作
曲家に関する情報、及びアーティストの出演番組情報などが更新しながら蓄積されるよう
になっている。
【００５４】
ステップＳ５では、サーバ３２からデータを受信したか否かを判断し、受信していない
と判断すればステップＳ４に戻る一方、受信したと判断すればステップＳ６に進む。ステ
ップＳ６では、図３に示した紹介順位設定画面を通じて予め設定された紹介順位情報に基
づいて、取得した楽曲の関連情報に含まれる各情報を紹介する順番を設定して、サビ位置
情報や楽曲の関連情報とともに記憶部２４に記憶する処理を行い、その後ステップＳ７に
進む。
【００５５】
ステップＳ７では、再生する曲数をカウントする曲カウンタｋ1に１を設定した後ステ
ップＳ８に進み、ステップＳ８では、ＣＤ１８のｋ1曲目の楽曲の再生を開始してステッ
プＳ９に進む。
【００５６】
図６に示したステップＳ９では、再生曲の経過時間が、再生曲中のサビの終了時刻にな
ったか否かを判断し、サビの終了時刻になっていないと判断すればステップＳ９に戻る一
方、サビの終了時刻になったと判断すればステップＳ１０に進む。
【００５７】
ステップＳ１０では、歌声が含まれる周波数帯域の音声信号の振幅レベルＳが所定レベ
ルＳ1より小さいか否かを判断し、所定レベルＳ1より小さくない、すなわち、サビの終了後も歌声が大きいと判断すればステップＳ９に戻る一方、所定レベルＳ1より小さい、すなわち、サビ終了後の歌声が小さいと判断すればステップＳ１１に進む。
【００５８】
ステップＳ１１では、サビ終了後の楽曲の音声信号における低音側の所定の周波数帯域
の振幅レベルＳLが、高音側の所定の周波数帯域の振幅レベルＳHより大きいか否かを判断し、低音側の周波数帯域の音声信号の振幅レベルＳLの方が大きいと判断すればステップＳ１２に進む。ステップＳ１２では、合成音声が女性の声となる設定にしてステップＳ１４に進む一方、低音側の周波数帯域の音声信号の振幅レベルＳLの方が小さい、すなわち高音側の周波数帯域の振幅レベルＳHの方が大きいと判断すればステップＳ１３に進み、合成音声が男性の声となる設定にして、ステップＳ１４に進む。
【００５９】
ステップＳ１４では、紹介した情報数をカウントする情報カウンタｋ2に１を加算してステップＳ１５に進み、ステップＳ１５では、楽曲の関連情報の中でｋ2番目に紹介する楽曲の関連情報を読み出して、該情報を設定された音声（男性声又は女性声）で音声合成
データを生成する処理を行い、その後ステップＳ１６に進む。
【００６０】
ステップＳ１６では、オーディオコントロール部２０を制御して、生成された音声合成
データ（紹介音声データ）の音の定位、音量、読み上げ速度、音響特性を調整して、調整
された合成音声をＣＤの音声信号とミキシングして、スピーカ２２ａ、２２ｂからＣＤの
音声と混合された楽曲の関連情報の紹介音声を出力させる処理を行い、その後ステップＳ
１７に進む。
【００６１】
ステップＳ１７では、曲の再生が終了したか否かを判断し、再生が終了していないと判
断すればステップＳ１８に進み、ステップＳ１８では、ＣＤモードの終了操作があったか
否かを判断し、ＣＤモードの終了操作があったと判断すれば処理を終了する一方、ＣＤモ
ードの終了操作がなかったと判断すればステップＳ１９に進む。
【００６２】
ステップＳ１９では、情報カウンタｋ2が、取得した楽曲の関連情報に含まれる全情報
数Ｃ2になったか否かを判断し、情報カウンタｋ2が全情報数Ｃ2になっていないと判断すればステップＳ９に戻る一方、情報カウンタｋ2が情報数Ｃ2になったと判断すれば処理を終了する。                                                                  
【００６３】
また一方、ステップＳ１７において曲の再生が終了したと判断すればステップＳ２０に
進み、ステップＳ２０では、曲カウンタｋ1が、ＣＤ１８の総曲数Ｃ1になったか否かを判断し、曲カウンタｋ1が、総曲数Ｃ1になったと判断すれば処理を終了する一方、曲カウンタｋ1が、総曲数Ｃ1になっていないと判断すればステップＳ２１に進む。ステップＳ２１では、曲カウンタｋ1に１を加算して、ステップＳ８に戻り処理を繰り返す。
【００６４】
一方、ステップＳ３において、ＣＤ１８が音楽ＣＤではない、すなわちＣＤ−Ｒ／ＲＷ
であると判断すれば、図７に示したステップＳ２２に進み、ステップＳ２２では、ＣＤ１
８に収録されているＭＰ３のファイルを解析する処理を行い、その後ステップＳ２３に進
む。
【００６５】
ステップＳ２３では、ファイルカウンタｋ3に１を設定した後ステップＳ２４に進み、ステップＳ２４では、ｋ3番目のＭＰ３ファイルを読み込み、ステップＳ２５に進む。ステップＳ２５では、無線通信部２７を制御して、ｋ3番目のＭＰ３ファイルに含まれているＩＤ３タグ情報（曲名やアルバム名などの文字情報）などをサーバ３２に送信して、前
記ＭＰ３ファイルに含まれる楽曲のサビ位置情報と楽曲の関連情報とを取得する処理を行
い、その後ステップＳ２６に進む。
【００６６】
ステップＳ２６では、サーバ３２からデータ（ＭＰ３ファイルに含まれる楽曲のサビ位
置情報と該楽曲の関連情報）を受信したか否かを判断し、受信していないと判断すればス
テップＳ２５に戻る一方、受信したと判断すればステップＳ２７に進む。ステップＳ２７
では、予め設定された優先順位情報に基づいて、取得した楽曲の関連情報に含まれる各情
報の紹介する順番を設定して、サビ位置情報や楽曲の関連情報とともに記憶部２４に記憶
する処理を行い、その後ステップＳ２８に進む。
【００６７】
ステップＳ２８では、ｋ3番目のＭＰ３ファイルの再生を開始してステップＳ２９に進む。ステップＳ２９では、再生曲の経過時間が、再生曲中のサビの終了時刻になったか否
かを判断し、サビの終了時刻になっていないと判断すればステップＳ２９に戻る一方、サ
ビの終了時刻になったと判断すればステップＳ３０に進む。
【００６８】
ステップＳ３０では、歌声が含まれる周波数帯域の音声信号の振幅レベルＳが所定レベ
ルＳ1より小さいか否かを判断し、所定レベルＳ1より小さくない、すなわち、サビ終了後も歌声が大きいと判断すればステップＳ２９に戻る一方、所定レベルＳ1より小さい、すなわちサビ終了後の歌声が小さいと判断すればステップＳ３１に進む。
【００６９】
ステップＳ３１では、サビ終了後の楽曲の音声信号における低音側の周波数帯域の振幅
レベルＳLが高音側の周波数帯域の振幅レベルＳHより大きいか否かを判断し、低音側の周波数帯域の音声信号の振幅レベルＳLの方が大きいと判断すればステップＳ３２に進む。ステップＳ３２では、合成音声が女性の声となる設定にしてステップＳ３４に進む一方
、低音側の周波数帯域の音声信号の振幅レベルＳLの方が小さい、すなわち高音側の周波
数帯域の振幅レベルＳHの方が大きいと判断すればステップＳ３３に進み、合成音声が男
性の声となる設定にして、その後ステップＳ３４に進む。
【００７０】
ステップＳ３４では、情報カウンタｋ2に１を加算してステップＳ３５に進み、ステップＳ３５では、楽曲の関連情報の中でｋ2番目に紹介する楽曲の関連情報を読み出して、該情報を設定された音声（男性声又は女性声）で音声合成データを生成する処理を行い、その後ステップＳ３６に進む。
【００７１】
ステップＳ３６では、オーディオコントロール部２０を制御して、生成された音声合成
データ（紹介音声データ）の音の定位、音量、読み上げ速度、音響特性を調整して、調整
された合成音声をＭＰ３ファイルの音声信号とミキシングして、スピーカ２２ａ、２２ｂ
からＭＰ３ファイルの音声と混合された楽曲の関連情報の紹介音声を出力させる処理を行
い、その後ステップＳ３７に進む。
【００７２】
ステップＳ３７では、曲の再生が終了したか否かを判断し、再生が終了していないと判
断すればステップＳ３８に進み、ステップＳ３８では、ＣＤモードの終了操作があったか
否かを判断し、ＣＤモードの終了操作があったと判断すれば処理を終了する一方、ＣＤモ
ードの終了操作がなかったと判断すればステップＳ３９に進む。
【００７３】
ステップＳ３９では、情報カウンタｋ2が、取得した楽曲の関連情報に含まれる総情報数Ｃ2になったか否かを判断し、情報カウンタｋ2が情報数Ｃ2になっていないと判断すればステップＳ２９に戻る一方、情報カウンタｋ2がＣ2になったと判断すれば処理を終了する。
【００７４】
また一方、ステップＳ３７において曲の再生が終了したと判断すればステップＳ４０に
進み、ステップＳ４０では、ファイルカウンタｋ3が、ＭＰ３の総ファイル数Ｃ3であるか否かを判断し、ファイルカウンタｋ3が、総ファイル数Ｃ3であると判断すれば処理を終了する一方、ファイルカウンタｋ3が、総ファイル数Ｃ3ではないと判断すればステップＳ４１に進む。ステップＳ４１では、ファイルカウンタｋ3に１を加算して、ステップＳ２４に戻り処理を繰り返す。
【００７５】
次に実施の形態（１）に係るオーディオ装置におけるマイコン１６の行う処理動作を図
８に示したフロ−チャ−トに基づいて説明する。なお、本処理動作は、ＦＭ放送で楽曲を
受信している場合に実行される。
【００７６】
まず、ステップＳ５１では、ＦＭモードか否かを判断し、ＦＭモードでないと判断すれ
ば処理を終了する一方、ＦＭモードであると判断すればステップＳ５２に進む。ステップ
Ｓ５２では、多重放送受信中か否かを判断し、多重放送受信中ではないと判断すればステ
ップＳ５９に進む一方、多重放送受信中であると判断すればステップＳ５３に進む。
【００７７】
ステップＳ５３では、デコーダ１４で複号された多重放送電波中の多重データを取り込
み、楽曲の関連情報の文字信号（テキストデータ）と、歌詞の始まりから終わりまでの間
で楽曲の関連情報を音声出力するタイミングを示すタイミング符号が含まれているか否か
を判断し、これら信号が含まれていないと判断すればステップＳ５９に進む一方、これら
信号が含まれていると判断すればステップＳ５４に進む。
【００７８】
ステップＳ５４では、タイミング符号受信後の楽曲の音声信号における低音側の周波数
帯域の振幅レベルＳLが、高音側の周波数帯域の振幅レベルＳHより大きいか否かを判断し、低音側の周波数帯域の振幅レベルＳLの方が大きいと判断すればステップＳ５５に進む。ステップＳ５５では、合成音声が女性の声となる設定にしてステップＳ５７に進む一方、低音側の周波数帯域の振幅レベルＳLの方が小さい、すなわち高音側の周波数帯域の振幅レベルＳHの方が大きいと判断すればステップＳ５６に進み、合成音声が男性の声となる設定にして、その後ステップＳ５７に進む。
【００７９】
ステップＳ５７では、受信した楽曲の関連情報を示す文字信号を処理して、設定された
音声（男性声又は女性声）で音声合成データ（紹介音声データ）を生成する処理を行い、
その後ステップＳ５８に進む。
【００８０】
ステップＳ５８では、オーディオコントロール部２０を制御して、生成された音声合成
データの音の定位、音量、読み上げ速度、音響特性を調整して、調整された合成音声をＦ
Ｍ放送の音声信号とミキシングして、スピーカ２２ａ、２２ｂからＦＭ放送の音声と混合
された楽曲の関連情報の紹介音声を出力させる処理を行い、その後ステップＳ５９に進む
。
【００８１】
ステップＳ５９では、ＦＭモードの終了操作があったか否かを判断し、ＦＭモードの終
了操作があったと判断すれば処理を終了する一方、ＦＭモードの終了操作がなかったと判
断すればステップＳ５２に戻り、処理を繰り返す。
【００８２】
上記実施の形態（１）に係るオーディオ装置によれば、楽曲中の歌詞の始まりから終わ
りまでの間で前記楽曲の関連情報の紹介を行うのに適切なタイミングを判断して、該判断
されたタイミングで、サーバ３２から取得した楽曲の関連情報が紹介されるので、前記楽
曲を聴く楽しみを妨げることなく、楽曲中の複数のタイミングで楽曲の関連情報の紹介を
行うことできる。したがって、楽曲を聴きながら、複数の情報を聴取することが可能とな
り、楽曲を聴く楽しみを一層高めることができる。
【００８３】
また、サーバ３２から取得した楽曲のサビ位置情報と、グラフィックイコライザ１９で
検知された楽曲の音声信号の振幅レベルとに基づいて、楽曲の関連情報の紹介を行うタイ
ミングが判断されるので、楽曲のサビ位置を除いた部分で、かつオーディオソースから取
り込んだ楽曲の音声信号の振幅レベルが所定レベルより小さくなる箇所を楽曲の関連情報
の紹介を行うタイミングとして判断させることにより、楽曲のサビ部分以外で、かつ音が
小さくなるタイミングで、楽曲の関連情報の紹介を行うことができ、楽曲中のサビの部分
を聴く楽しみを妨げることなく、かつ楽曲の関連情報が聞き取りやすいように紹介を行う
ことができる。
【００８４】
また、楽曲の関連情報には複数の情報が含まれており、該楽曲の関連情報に含まれる各
情報が、図３に示した紹介順位設定画面を通じて設定された順番で紹介されるので、ユー
ザーが知りたい情報から聴取させることができ、楽曲を聴く楽しみを一層高めることがで
きる。
【００８５】
また、楽曲の関連情報の紹介を行うタイミングにおける楽曲の音声信号の周波数特性を
判別して、該判別された周波数特性に応じて設定された所定の音声（男性声、または女性
声）で楽曲の関連情報の音声紹介を行うので、例えば、音声紹介を行うタイミングにおい
て、低音側の周波数帯域の信号レベルが高い場合は、女性の声（すなわち、高い周波数の
音）で前記楽曲の関連情報の紹介を行うようにしたり、逆に、高音側の周波数帯域の信号
レベルが高い場合は、男性の声（すなわち、低い周波数の音）で前記楽曲の関連情報の紹
介を行うようにすることができ、聞き取りやすい音声で前記楽曲の関連情報の紹介を行う
ことができる。
【００８６】
また、図４に示した紹介音声出力設定画面を通じて、前記楽曲の関連情報を紹介する際
の音の定位、紹介音声の大きさ、紹介音声の読み上げ速度、紹介音声の音響特性をユーザ
ーの好みに合わせて設定することができ、ユーザーにとって聴き取りやすい設定を行うこ
とができる。
【００８７】
なお、実施の形態（１）では、サビの終了時刻になったか否かを判断し、サビの終了時
刻になり、かつ歌声が含まれる周波数帯域の音声信号の振幅レベルＳが所定レベルＳ1より小さくなった場合に、紹介タイミングであると判断するようになっているが、別の実施
の形態では、前奏から歌唱部に入った後、歌声が含まれる周波数帯域の音声信号の振幅レ
ベルＳが所定レベルＳ1より小さくなったことを判断し、音声信号の振幅レベルＳが所定レベルＳ1より小さくなり、かつサビの開始・終了区間内ではない場合に、紹介タイミングであると判断する構成としても良い。                                            
【００８８】
また、楽曲の関連情報として、ジャケットの画像情報がサーバ３２から提供されるよう
になっていれば、紹介音声の出力中にジャケットの画像を表示部に表示させるようにする
こともできる。
【００８９】
また、前記楽曲の関連情報としてアーティストのホームページ情報が紹介された場合に
、図９に示したようなアーティストのホームページのアドレス情報をお気に入り情報とし
て登録するためのお気に入り情報登録画面を表示画面上に表示させるようにしてもよい。
係る構成によれば、アーティストのホームページ情報が紹介された場合に、該アーティス
トのホームページのアドレス情報を登録することが可能となり、アドレス情報を別途登録
する手間を省くことができる。
【００９０】
次に実施の形態（２）に係るオーディオ装置について説明する。但し実施の形態（２）
に係るオーディオ装置の構成については、マイコンを除いて図１に示したオーディオ装置
と同様であるため、異なる機能を有するマイコン１６Ａには異なる符号を付し、その他の
同一機能を有する構成部品の説明をここでは省略する。
【００９１】
実施の形態（２）に係るオーディオ装置では、楽曲中の間奏区間を示す間奏区間情報（
楽曲中の間奏の開始時刻と終了時刻の情報）と、楽曲の関連情報とがサーバ３２Ａから取
得できるようになっており、マイコン１６Ａでは、取得した間奏区間情報に基づいて、楽
曲の関連情報の紹介を行うタイミングを判断するようになっている。また、間奏の開始時
刻には、楽曲中の歌詞のサビの終了時刻が含まれるようになっている。
また、楽曲の関連情報の紹介を行っている途中で間奏区間が終了した場合、紹介を中断
して、次の紹介タイミングで、前記紹介を再開するようになっている。
【００９２】
次に実施の形態（２）に係るオーディオ装置におけるマイコン１６Ａの行う処理動作を
図１０に示したフロ−チャ−トに基づいて説明する。なお、本処理動作は、図６に示した
ステップＳ９〜Ｓ１３の代わりにステップＳ６１が、ステップＳ１６とＳ１７との間にス
テップＳ６２〜Ｓ６７が挿入されている点が相違しており、以下相違点のみ説明すること
とする。
【００９３】
ステップＳ８において、ＣＤ１８のｋ1曲目の楽曲の再生を開始した後ステップＳ６１に進む。ステップＳ６１では、再生曲の経過時間が、再生曲中の間奏の開始時刻になった
か否かを判断し、間奏の開始時刻になっていないと判断すればステップＳ６１に戻る一方
、間奏の開始時刻になったと判断すればステップＳ１４、Ｓ１５、Ｓ１６の処理を行い、
その後ステップＳ６２に進む。
【００９４】
ステップＳ６２では、間奏の終了時刻になったか否かを判断し、間奏の終了時刻になっ
ていないと判断すればステップＳ６２に戻る一方、間奏の終了時刻になったと判断すれば
ステップＳ６３に進む。
【００９５】
ステップＳ６３では、紹介音声の出力中であるか否かを判断し、紹介音声の出力中であ
ると判断すればステップＳ６４に進み、ステップＳ６４では、紹介音声の出力を中断させ
る処理を行い、その後ステップＳ６５に進む。ステップＳ６５では、曲の再生が終了した
か否かを判断し、曲の再生が終了したと判断すればステップＳ２０へ進む一方、曲の再生
が終了していないと判断すればステップＳ６６に進む。
【００９６】
ステップＳ６６では、次の間奏の開始時刻になったか否かを判断し、次の間奏の開始時
刻になっていないと判断すればステップＳ６６に戻る一方、次の間奏の開始時刻になった
と判断すればステップＳ６７に進む。ステップＳ６７では、紹介音声の出力を再開させる
処理を行う。なお、この場合、中断箇所の少し手前から再開されるようになっており、そ
の後ステップＳ６２に戻り、処理を繰り返す。またステップＳ６３において、紹介音声の
出力中ではない、すなわち、紹介音声の出力が完了していると判断すればステップＳ１７
へ進む。
【００９７】
なお、ＣＤ１８が音楽ＣＤでない場合は、図７に示したステップＳ２９〜３３の代わり
にステップＳ６１が、ステップＳ３６とＳ３７との間に、ステップＳ６２〜Ｓ６７が挿入
された処理が同様に行われるようになっている。
【００９８】
上記実施の形態（２）に係るオーディオ装置によれば、サーバ３２Ａから取得した間奏
区間情報に基づいて、楽曲の関連情報の紹介を行うタイミングが判断されるので、歌詞が
含まれない楽曲の間奏区間において、楽曲の関連情報が聞き取りやすいように紹介するこ
とができる。また、間奏区間情報には、楽曲中の歌詞のサビの終了時刻が含まれているの
で、楽曲中の歌詞のサビの終了時刻から前記楽曲の関連情報の紹介をスムーズに行うこと
ができる。
【００９９】
また、楽曲の関連情報の紹介を行っている途中で、間奏区間が終了した場合に、一旦紹
介を中断して、次の間奏区間に入ったタイミングで、紹介を再開するので、楽曲の関連情
報の出力に要する時間が長い場合でも、楽曲を聴く楽しみを妨げることがないように紹介
を行うことができる。また、紹介を再開する際に中断箇所の少し手前から再開されるよう
になっているので、１つの情報を分割して紹介した場合でも、情報のつながりが把握しや
すくなる。
【０１００】
なお、上記実施の形態（２）では、楽曲の関連情報は、ユーザーによって設定された順
番で紹介されるようになっているが、別の実施の形態では、取得した間奏区間情報と、楽
曲の関連情報に含まれる各情報の音声出力に要する時間とを考慮して、間奏区間が短い箇
所には、音声出力に要する時間が短い情報を出力し、間奏区間が長い箇所には、音声出力
に要する時間が長い情報を出力させるようにして、間奏区間の長さに合わせて、紹介する
情報を選択する構成とすることもできる。                                          
【０１０１】
さらに、間奏区間と、楽曲の関連情報に含まれる各情報の音声出力に要する時間とを比
較して、間奏区間内に紹介音声の出力が納まらない場合には、オーディオコントロール部
２０を制御して、紹介音声データの読み出し速度を調整して、間奏区間内に紹介音声の出
力を納める構成としてもよい。
【０１０２】
次に実施の形態（３）に係るオーディオ装置について説明する。但し実施の形態（３）
に係るオーディオ装置の構成については、マイコンを除いて図１に示したオーディオ装置
と同様であるため、異なる機能を有するマイコン１６Ｂには異なる符号を付し、その他の
同一機能を有する構成部品の説明をここでは省略する。
【０１０３】
実施の形態（３）に係るオーディオ装置では、楽曲の関連情報だけをサーバ３２Ｂから
取得するようになっており、マイコン１６Ｂでは、グラフィックイコライザ１９で検知さ
れた楽曲の音声信号の振幅レベルに基づいて、楽曲の関連情報の紹介を行うタイミングを
判断するようになっている。また、楽曲の関連情報の紹介を行っている途中で楽曲の音声
信号の振幅レベルが所定レベルより大きくなった場合、紹介を中断して、次に楽曲の音声
信号の振幅レベルが所定レベルより小さくなったタイミングで、前記紹介を再開するよう
になっている。
【０１０４】
次に実施の形態（３）に係るオーディオ装置におけるマイコン１６Ｂの行う処理動作を
図１１に示したフロ−チャ−トに基づいて説明する。なお、本処理動作は、図６に示した
ステップＳ９〜Ｓ１３の代わりにステップＳ７１、Ｓ７２が、ステップＳ１６とＳ１７と
の間にステップＳ７３〜Ｓ７８が挿入されている点が相違しており、以下相違点のみ説明
することとする。
【０１０５】
ステップＳ８において、ＣＤ１８のｋ1曲目の楽曲の再生を開始した後ステップＳ７１
に進む。ステップＳ７１では、歌声が含まれる周波数帯域の音声信号の振幅レベルに基づ
いて、再生曲が前奏から歌詞（歌唱部）に入ったか否かを判断し、歌唱部に入っていない
と判断すればステップＳ７１に戻る一方、歌唱部に入ったと判断すればステップＳ７２に
進む。
【０１０６】
ステップＳ７２では、再生中の楽曲の音声信号の振幅レベルＳを検知して、該楽曲の音
声信号の振幅レベルＳが、音が小さいことを示す所定の閾値レベルＳTHより小さいか否かを判断し、振幅レベルＳが閾値レベルＳTHより小さくないと判断すればステップＳ７２に戻る一方、振幅レベルＳが閾値レベルＳTHより小さいと判断すればステップＳ１４、Ｓ１
５、Ｓ１６の処理を行い、その後ステップＳ７３に進む。
【０１０７】
ステップＳ７３では、振幅レベルＳが閾値レベルＳTHより大きくなったか否かを判断し
、振幅レベルＳが閾値レベルＳTHより大きくなっていないと判断すればステップＳ７３に
戻る一方、振幅レベルＳが閾値レベルＳTHより大きくなったと判断すればステップＳ７４
に進む。
【０１０８】
ステップＳ７４では、紹介音声の出力中か否かを判断し、紹介音声の出力中であると判
断すればステップＳ７５に進み、ステップＳ７５では、紹介音声の出力を中断させる処理
を行い、その後ステップＳ７６に進む。ステップＳ７６では、曲の再生が終了したか否か
を判断し、曲の再生が終了したと判断すればステップＳ２０へ進む一方、曲の再生が終了
していないと判断すればステップＳ７７に進む。
【０１０９】
ステップＳ７７では、振幅レベルＳが閾値レベルＳTHより小さくなったか否かを判断し
、振幅レベルＳが閾値レベルＳTHより小さくなっていないと判断すればステップＳ７７に
戻る一方、振幅レベルＳが閾値レベルＳTHより小さくなったと判断すればステップＳ７８
に進む。ステップＳ７８では、紹介音声の出力を再開させる処理を行う。なお、この場合
、中断箇所の少し手前から再開されるようになっており、その後ステップＳ７３に戻り、
処理を繰り返す。またステップＳ７４において、紹介音声の出力が途中ではない、すなわ
ち、紹介音声の出力が完了していると判断すればステップＳ１７へ進む。
【０１１０】
なお、ＣＤ１８が音楽ＣＤでない場合は、図７に示したステップＳ２９〜３３の代わり
にステップＳ７１、Ｓ７２が、ステップＳ３６とＳ３７との間に、ステップＳ７３〜Ｓ７
８が挿入された処理が同様に行われるようになっている。
【０１１１】
上記実施の形態（３）に係るオーディオ装置によれば、グラフィックイコライザ１９に
より検知された楽曲の音声信号の振幅レベルに基づいて、楽曲の関連情報の紹介を行うタ
イミングが判断される、すなわち、楽曲の音声信号の振幅レベルＳが所定の閾値レベルＳ
THより小さくなるタイミングを前記楽曲の関連情報の紹介を行うタイミングとすることに
より、前記楽曲の音声信号の振幅レベルＳが小さい、すなわち音が小さくなる箇所で、楽
曲を聴く楽しみを妨げることがないように楽曲の関連情報の紹介を行うことができる。
【０１１２】
また、楽曲の関連情報の紹介を行っている途中で、楽曲の音声信号の振幅レベルＳが所
定の閾値レベルＳTHより大きくなった場合に、一旦紹介を中断して、次に振幅レベルＳが
閾値レベルＳTHより小さくなったタイミングで、紹介を再開するので、前記楽曲の関連情
報の音声出力に要する時間が長い場合でも、楽曲を聴く楽しみを妨げることがないように
紹介を行うことができる。また、紹介を再開する際に中断箇所の少し手前から再開される
ようになっているので、１つの情報を分割して紹介した場合でも、情報のつながりが把握
しやすいようになっている。
【０１１３】
なお、実施の形態（３）では、ＣＤ１８に収録されている楽曲の音声信号の振幅レベル
（ｄＢ値）を検知するようになっているが、別の実施の形態では、楽曲中の歌声が含まれ
る周波数帯域（例えば、３００〜３０００Ｈｚ）の音声信号の振幅レベルを検知する構成
としてもよい。
【０１１４】
係る構成によれば、楽曲中の歌声が含まれる周波数帯域の音声信号の振幅レベルが所定
レベルより小さくなる箇所を前記楽曲の関連情報の紹介を行うタイミングと判断させるこ
とにより、前記楽曲中の歌声が含まれる周波数帯域の音声信号の振幅レベルが小さい、す
なわち歌声が小さくなる箇所で、前記楽曲中の歌声を聴く楽しみを妨げることがないよう
に前記楽曲の関連情報の紹介を行うことができる。
【０１１５】
また、上記実施の形態（１）〜（３）では、オーディオソースとして、ＦＭ多重受信機
と、ＣＤドライブとを備えているオーディオ装置に適用した場合について説明したが、オ
ーディオソースは、特に限定されるものではなく、半導体メモリ、ハードディスク等に収
録されたＡＴＲＡＣ３などのファイル形式の音楽データを読み込んで再生するものにも適
用することができる。
【０１１６】
また、曲名などの識別情報が付与されていない再生媒体を再生する場合は、楽曲データ
の一部を識別情報としてサーバに送信してもよく、サーバでは、送信されてきた楽曲デー
タを音声認識処理を行って解析し、該当する曲を割り出し、該曲のサビ位置情報、間奏区
間情報、楽曲の関連情報等をオーディオ装置へ送出する構成とすることもできる。
【図面の簡単な説明】
【０１１７】
【図１】本発明の実施の形態（１）に係るオーディオ装置の要部を概略的に示したブロック図である。
【図２】サーバから取得したデータの一部を示した図であり、（ａ）は楽曲のサビ位置情報、（ｂ）は楽曲の関連情報の一例を示した図である。
【図３】楽曲の関連情報の紹介順位設定画面の表示例を示した図である。
【図４】紹介音声出力設定画面の表示例を示した図である。
【図５】実施の形態（１）に係るオーディオ装置におけるマイコンの行う処理動作を示したフローチャートである。
【図６】実施の形態（１）に係るオーディオ装置におけるマイコンの行う処理動作を示したフローチャートである。
【図７】実施の形態（１）に係るオーディオ装置におけるマイコンの行う処理動作を示したフローチャートである。
【図８】実施の形態（１）に係るオーディオ装置におけるマイコンの行う処理動作を示したフローチャートである。
【図９】ホームページ情報のお気に入り情報登録画面の表示例を示した図である。
【図１０】実施の形態（２）に係るオーディオ装置におけるマイコンの行う処理動作を示したフローチャートである。
【図１１】実施の形態（３）に係るオーディオ装置におけるマイコンの行う処理動作を示したフローチャートである。
【符号の説明】
【０１１８】
１６、１６Ａ、１６Ｂ  マイコン
１９  グラフィックイコライザ
２０  オーディオコントロール部
２３  音声合成部
２４  記憶部
２７  無線通信部  
【図１】
2006048808.tif 000003
【図２】
2006048808.tif 000004
【図３】
2006048808.tif 000005
【図４】
2006048808.tif 000006
【図５】
2006048808.tif 000007
【図６】
2006048808.tif 000008
【図７】
2006048808.tif 000009
【図８】
2006048808.tif 000010
【図９】
2006048808.tif 000011
【図１０】
2006048808.tif 000012
【図１１】
2006048808.tif 000013